(57)【特許請求の範囲】
【請求項１】
複数の管接続部を有する継手本体と、この継手本体を取付面に支持する合成樹脂製の取付座とを備えた継手部材であって、
前記取付座は、止着具をねじ込むための複数の貫通孔を有し、
前記取付座には、該取付座の表面よりも窪んだ凹溝が、前記貫通孔ごとに該貫通孔に隣接して取付座の辺縁部まで延設され、
隣接する貫通孔と凹溝の外周部には、斜めに傾斜した傾斜縁部が備えられ、この傾斜縁部は貫通孔の周縁部の一部と凹溝の両縁部を取り囲むように連続して設けられたことを特徴とする継手部材。
【請求項２】
請求項１に記載の継手部材において、
前記凹溝は、互いに平行に設けられたことを特徴とする継手部材。
【請求項３】
請求項１に記載の継手部材において、
前記凹溝は、取付座の辺縁部ほど広幅に設けられたことを特徴とする継手部材。
【請求項４】
請求項１〜３のいずれか一つの請求項に記載の継手部材において、
前記継手本体は曲がり部を備え、前記取付座は継手本体の曲がり部に沿う屈曲形状とされたことを特徴とする継手部材。
【発明の詳細な説明】
【技術分野】
【０００１】
本発明は、複数の管接続部を備えた座付きの継手部材に関する。
【背景技術】
【０００２】
建物の給水・給湯配管にあっては、床下や壁体に沿って配置した配管に継手部材を接続し、その継手部材を介して水栓器具等の室内側機器に接続することが行われている。また、床下に延設した配管の端部を、床面等に固定した継手部材に接続するとともに、床に設けた貫通穴を介して室内側に立ち上げる配管も行われている。
【０００３】
この種の継手部材は、金属製のエルボ継手本体の背面部に取付用座金を備えて、その座金にビス等の止着具の取付孔を設けたものが広く知られている（例えば特許文献１（第２頁、図４）参照）。図７に示すように、従来の座付きエルボ継手１０は、鋳物によって取付座１１０と継手本体１２０とが一体に形成されている。ビス等をねじ込むための取付孔１１１には、止着具の頭部を収容する凹部１１２が設けられている。かかる取付孔１１１を介して止着具をねじ込むことで、止着具の頭部を取付孔１１１の凹部１１２に係合させて、座付きエルボ継手１０を壁面や床面等に固定することができるように構成されている。
【先行技術文献】
【特許文献】
【０００４】
【特許文献１】特開２００７−２４２６２号公報
【発明の概要】
【発明が解決しようとする課題】
【０００５】
前記従来の座付きエルボ継手１０は、取付孔１１１を備える取付座１１０が金属系材料からなるため十分な強度を有している。一方で、軽量化やコストダウン等の観点から合成樹脂製の座付きエルボ継手も要望されており、継手本体と取付座とを合成樹脂材料により一体成形した製品が求められた。合成樹脂成形品からなる取付座は、金属系材料からなる場合に比べて、十分な軽量化を図ることができ、寸法精度にも優れる。しかしながら、成形品の縁部は外部からの力が加わると破損しやすく、例えば、取付孔の縁部に凹部を有しない取付孔に止着具をねじ込むと、取付孔の周囲に頭部が干渉して押圧力が作用する。そのため、止着具を過度にねじ込んでしまうと、取付孔の周囲に応力が集中し、取付座にクラック等の損傷を生じるおそれがあった。また、前記従来の座付きエルボ継手の取付座の形状を、そのまま合成樹脂成形品により形成することは、成形金型の型開きが困難になるという問題点があり、実現されていなかった。
【０００６】
そこで本発明は、上記のような問題点にかんがみてなされたものであり、その目的とするところは、止着具をねじ込んでも合成樹脂製の取付座の損傷が防止され、取付面への取付作業を効率よく円滑に行うことのできる継手部材を提供することにある。
【課題を解決するための手段】
【０００７】
前記の目的を達成するための本発明の解決手段は、複数の管接続部を有する継手本体と、この継手本体を取付面に支持する合成樹脂製の取付座とを備えた継手部材を前提とする。この継手部材に対して、取付座には、止着具をねじ込むための複数の貫通孔を備えさせ、該取付座の表面よりも窪んだ凹溝を、前記貫通孔ごとに該貫通孔に隣接させて取付座の辺縁部まで延設している。また、隣接する貫通孔と凹溝の外周部に、斜めに傾斜した傾斜縁部を備えさせ、この傾斜縁部を、貫通孔の周縁部の一部と凹溝の両縁部を取り囲むように連続して設けたことを特徴としている。
【０００８】
この特定事項により、取付座を壁等の取付面に固定する際、止着具をねじ込む貫通孔の周縁部の傾斜縁部には、止着具の頭部が納まり、止着具が受け止められる。このため、止着具の過剰なねじ込みを防ぐことができ、取付座に止着具がめり込むことなく、取付面に取付座を固定することができる。また、貫通孔に隣接して凹溝を有することによって、貫通孔の孔周りにかかる負荷を軽減することができ、止着具をねじ込んでも、取付座の凹溝にクラック等の損傷を生じるのを防止することができる。
【０００９】
前記継手部材のより具体的な構成として次のものが挙げられる。すなわち、前記継手部材において、取付座の貫通孔に隣接する凹溝を、互いに平行に設けてもよい。また、凹溝を、取付座の辺縁部ほど広幅に設けてもよい。
【００１０】
これにより、止着具のねじ込みによる取付座の損傷を効果的に防ぐことができるとともに成形容易性を高めることができる。
【００１１】
また、前記継手部材における継手本体には曲がり部を備えさせ、前記取付座を継手本体の曲がり部に沿う屈曲形状としてもよい。これにより、継手部材を壁面、床面、または下地面等の２方向の取付面に安定的に固定することができる。
【発明の効果】
【００１２】
本発明では、合成樹脂製の取付座に、止着具をねじ込むための複数の貫通孔と、取付座の表面よりも窪んだ凹溝を設けて、隣接する貫通孔と凹溝の外周部に、斜めに傾斜した傾斜縁部を備えさせ、この傾斜縁部を、貫通孔の周縁部の一部と凹溝の両縁部を取り囲むように連続して設けた構成としている。このため、止着具の締め込みにより貫通孔の周囲にかかる負荷を軽減することができ、合成樹脂製の取付座に損傷を生じるのを防止することができる。
【図面の簡単な説明】
【００１３】
【図１】本発明の実施の形態に係る継手部材の平面図である。
【図２】本発明の実施の形態に係る継手部材の底面図である。
【図３】本発明の実施の形態に係る継手部材の斜視図である。
【図４】本発明の実施の形態に係る継手部材の側面図である。
【図５】図１におけるＡ−Ａ断面図である。
【図６】実施の形態に係る継手部材の取付方法を示す説明図である。
【図７】従来の継手部材の例を示す斜視図である。
【発明を実施するための形態】
【００１４】
以下、本発明の実施の形態に係る継手部材について、図面を参照しつつ説明する。
【００１５】
図１〜図６は本発明の一実施形態に係る継手部材を示し、図１は継手部材の平面図、図２は底面図、図３は斜視図、図４は側面図、図５は図１におけるＡ−Ａ断面図である。また、図６は前記継手部材の取付方法を示す説明図である。なお、説明の便宜状、図１における継手部材１の管接続部２１の接続口側を上方として平面図に示し、図２における取付座３の取付面との接触面側を底面として底面図に示すが、本発明に係る継手部材は必ずしもこれらの図面に示す向きで使用されずともよく、どのような向きで使用されてもよい。
【００１６】
継手部材１は、複数の管接続部を有する継手本体２と、この継手本体２を取付面に支持する取付座３とを備えている。継手本体２と取付座３とは、合成樹脂成形品により一体に形成されている。
【００１７】
継手本体２は、９０度の曲がり部を備えたエルボ型に形成されて、例えば給水・給湯用配管を接続するのに用いられる。例示の形態では、継手本体２は、管接続部として、水栓器具を接続するための水栓接続部２１と、給水・給湯配管等の合成樹脂製配管を接続するための配管接続部２３とを備えている。
【００１８】
水栓接続部２１の内周面には、金属製の雌ねじ部材２２が嵌合され、水栓器具がねじ込まれて接続される。配管接続部２３には、樹脂製配管を差し込むことにより接続されるワンタッチ継手や袋ナット等の部材が外装される。配管接続部２３は、複数のシール溝２４が形成されている。
【００１９】
継手本体２と一体的に形成される取付座３は、継手本体２の曲がり部に沿う屈曲形状とされている。取付座３は、直交する２方向に座を備えて、図示するように略Ｌ字状の断面形状に形成されている。
【００２０】
取付座３は、止着具４をねじ込むための複数の貫通孔３２を有する。貫通孔３２は、取付座３を板厚方向に貫通する円形の孔であり、止着具４としての例えば皿ビスを貫通させて用いることができる。図示するように、貫通孔３２は、継手本体２の軸心に対して、継手本体２の左右両側に軸対称となるように均等に配設されている。
【００２１】
貫通孔３２には、取付座３の表面３１側から止着具４が挿入される。そして、止着具４を壁面等の取付面にねじ込むことにより、取付座３がネジ留め固定される。止着具４としては、ビス、ネジ、ビス釘、または単なる釘など、特に限定されるものではなく、これらに類する止着具はどのようなものも用いることができる。
【００２２】
貫通孔３２は、止着具４の頭部を収容しうるように面取りされて傾斜縁部３４を備えている。傾斜縁部３４は、貫通孔３２における取付座３の表面３１側に形成されている。また、傾斜縁部３４は、皿ビス等の止着具４の頭部裏側の座面のテーパ形状に対応させて、止着具４の挿入方向手前側から挿入方向奥側に向って直径が徐々に小さくなる円錐台形状（略テーパ形状）の斜面とされている。
【００２３】
このような傾斜縁部３４は、貫通孔３２に止着具４が挿入されたときに、止着具４の頭部の座面が対向する状態となる。図５および図６に示すように、傾斜縁部３４の斜面は、止着具４の挿入方向に沿った断面視で、止着具４の座面の傾斜角度に応じて、止着具４の挿入方向手前側から挿入方向奥側（矢印Ｂ方向）に向って貫通孔３２の径方向内側へ傾斜されている。
【００２４】
傾斜縁部３４は、例えば皿ビスの座面の約４５度の傾斜角度に合わせて、取付座３の表面に対して４５度に傾斜させた斜面にて形成されることが好ましい。また、その他の種類の止着具４を用いることを考慮すれば、傾斜縁部３４は４５度の斜面であるに限られず、取付座３の表面３１に対して、概ね３０度〜６０度の範囲の傾斜角度にて形成されることが好ましい。
【００２５】
さらに、継手部材１の取付座３には、貫通孔３２に隣接して凹溝３３が設けられている。凹溝３３は、貫通孔３２ごとに設けられており、取付座３の表面３１よりも窪ませて形成されている。各凹溝３３は、貫通孔３２から取付座３の辺縁部まで延設され、一定の幅で形成されている。
【００２６】
隣接する貫通孔３２と凹溝３３の外周部は、斜めに傾斜した傾斜縁部３４に取り囲まれている。例示の形態では、貫通孔３２まわりの傾斜縁部３４は、貫通孔３２における継手本体２寄りの略半周部を取り囲むように設けられている。また、この傾斜縁部３４は、貫通孔３２の周縁部の部分的に取り囲むとともに、凹溝３３の両縁部に連続され、これらの周囲を取り囲んで、取付座３の辺縁部まで延設されている。複数の凹溝３３は、互いに平行に配設されている。
【００２７】
例えば、電動ドライバー等の電動工具を用いて取付面に止着具４をねじ込む場合、作業者が手でドライバー等を回す場合と比較して、取付面に対する止着具４のねじ込み速度が速くなる。このため、止着具４の座面は、貫通孔３２の縁に衝突する可能性が高くなり、衝突荷重が作用する。このような衝突荷重に対して、合成樹脂製品は一般には弱いものが多く、クラック等の損傷を発生しやすい。
【００２８】
これに対し、本実施形態に係る継手部材１にあっては、貫通孔３２に傾斜縁部３４を有するとともに、貫通孔３２に隣接して凹溝３３が設けられ、この凹溝３３にも傾斜縁部３４が連続して備えられている。貫通孔３２に電動工具を用いて止着具４をねじ込み、電動工具の回転速度が速いと、傾斜縁部３４に対する止着具４の座面の接近速度が速くなる。しかしながら、貫通孔３２の傾斜縁部３４は、止着具４の座面を、これと略同等の傾きを有する斜面により受け止める。これにより止着具４が過剰にねじ込まれるのを防止する。また、貫通孔３２に隣接する凹溝３３は、止着具４と取付座３との接触面積を低減し、取付座３が受ける作用を緩和するので、貫通孔３２の周囲の凹溝３３にクラック等の損傷が生じるのを防止する。
【００２９】
継手部材１において、上述のような凹溝３３および傾斜縁部３４は、取付座３の辺縁部まで延設されているので、成形金型を割型とし、型開き方向を取付座３の凹溝３３に沿った方向としてスライドさせて脱型することが可能とされる。これにより、成形品としての取付座３を成形金型から容易に取り出すことができる。また、貫通孔３２の周囲に凹溝３３および傾斜縁部３４を連続して設けていることにより、成形容易性が高められ、金型設計を複雑化することがなく、生産性を向上させることができる。
【００３０】
また、本発明に係る継手部材１において、複数の凹溝３３は、上述したように取付座３において貫通孔３２の縁部から取付座３の辺縁部まで等幅で平行に形成されるに限られない。すなわち、例えば、複数の凹溝３３は、取付座３の辺縁部ほど広幅となるように形成されたり、また、貫通孔３２から辺縁部への途中部分までは等幅であって途中部分から辺縁部ほど広幅となるように形成されたり、このような形状の凹溝３３が複数の凹溝３３の一部に含まれたりしてもよい。また、これらの場合、凹溝３３同士は平行に配設されていなくともよい。いずれの場合にも、凹溝３３が形成されていることによって、貫通孔３２の周囲からクラック等を生じることが防止され、継手部材１を作業性よく安定的に固定することができる。
【００３１】
以上のように、本発明に係る継手部材１によって、軽量であって寸法精度に優れたものとすることができ、合成樹脂成形品からなる取付座３であっても、止着具４のねじ込みによる貫通孔３２の周囲の損傷を防ぐことができる。そのため、継手部材１を用いた配管作業を効率よく短時間で行うことができ、長期的に良好な状態で使用することができる。また、貫通孔３２に隣接して設けた凹溝３３と、その周囲の傾斜縁部３４を備えるので、脱型が容易になり、合成樹脂成形品による取付座３の生産性が高められる。
【００３２】
なお、本発明において、継手部材１における取付座３は、例示した屈曲形状を有するものに限られず、略矩形の平板状に形成されたものであってもよい。また、取付座３に設けられる貫通孔３２の数などは上述した形態に限定されるものではなく、どのように形成されてもよい。
【産業上の利用可能性】
【００３３】
本発明は、配管類を接続し固定する継手部材として好適に利用可能である。
【符号の説明】
【００３４】
１    継手部材
２    継手本体
２１  水栓接続部
２２  雌ねじ部材
２３  配管接続部
２４  シール溝
３    取付座
３１  表面
３２  貫通孔
３３  凹溝
３４  傾斜縁部
４    止着具
【図１】
0005972946.tif 000002
【図２】
0005972946.tif 000003
【図３】
0005972946.tif 000004
【図４】
0005972946.tif 000005
【図５】
0005972946.tif 000006
【図６】
0005972946.tif 000007
【図７】
0005972946.tif 000008